(57)【要約】【課題】  複合電子装置の出力モードと異なるコードのリモコン信号を受信したとき、リモコン信号のコードが複合電子機器の出力モードと異なることをユーザに報知することができるようにする。【解決手段】  リモコン装置から送信されたリモコン信号を受信して、受信したリモコン信号が複合電子装置の出力モードに対応したコードのリモコン信号であるか否かを判別し、受信したリモコン信号が複合電子装置の出力モードと異なるコードのリモコン信号であるとき、リモコン信号のコードが複合電子装置の出力モードと異なることを表示するようにする。【選択図】        図１
2005117160.tif 000002
【特許請求の範囲】
【請求項１】
それぞれ異なるコードのリモコン信号により動作する複数のＡＶ機器が組み込まれた複合電子装置であって、出力モードを切り換えて複数のＡＶ機器の１つからの映像音声信号を出力する複合電子装置において、
リモコン装置から送信されたリモコン信号を受信する受信手段と、前記受信手段により受信されたリモコン信号が複合電子装置の出力モードに対応したコードのリモコン信号であるか否かを判別する判別手段と、前記判別手段が前記受信手段により受信されたリモコン信号が複合電子装置の出力モードと異なるコードのリモコン信号であると判別したとき、前記受信手段により受信されたリモコン信号のコードに対応した複合電子装置の出力モードを表示するＬＥＤを点滅させて、リモコン信号のコードが複合電子装置の出力モードと異なることを表示する第１の表示手段と、前記判別手段が前記受信手段により受信されたリモコン信号が複合電子装置の出力モードと異なるコードのリモコン信号であると判別したとき、映像にスーパーインポーズして、またはブルーバック画面に切り換えて、リモコン信号のコードが複合電子装置の出力モードと異なることを画面に表示する第２の表示手段とを備えたことを特徴とする複合電子装置。
【請求項２】
それぞれ異なるコードのリモコン信号により動作する複数のＡＶ機器が組み込まれた複合電子装置であって、出力モードを切り換えて複数のＡＶ機器の１つからの映像音声信号を出力する複合電子装置において、
リモコン装置から送信されたリモコン信号を受信する受信手段と、前記受信手段により受信されたリモコン信号が複合電子装置の出力モードに対応したコードのリモコン信号であるか否かを判別する判別手段と、前記判別手段が前記受信手段により受信されたリモコン信号が複合電子装置の出力モードと異なるコードのリモコン信号であると判別したとき、リモコン信号のコードが複合電子装置の出力モードと異なることを表示する表示手段とを備えたことを特徴とする複合電子装置。
【請求項３】
前記表示手段は、前記受信手段により受信されたリモコン信号のコードに対応した複合電子装置の出力モードを表示するＬＥＤを点滅させて、リモコン信号のコードが複合電子装置の出力モードと異なることを表示する表示手段であることを特徴とする請求項２記載の複合電子装置。
【請求項４】
前記表示手段は、映像にスーパーインポーズして、リモコン信号のコードが複合電子装置の出力モードと異なることを画面に表示する表示手段であることを特徴とする請求項２記載の複合電子装置。
【請求項５】
前記表示手段は、ブルーバック画面に切り換えて、リモコン信号のコードが複合電子装置の出力モードと異なることを画面に表示する表示手段であることを特徴とする請求項２記載の複合電子装置。
【発明の詳細な説明】
【技術分野】
【０００１】
本発明は、それぞれ異なるコードのリモコン信号により動作するＶＣＲ（Ｖｉｄｅｏ−Ｃａｓｓｅｔｔｅ  Ｒｅｃｏｒｄｅｒ）装置、ＤＶＤ（Ｄｉｇｉｔａｌ  Ｖｅｒｓａｔｉｌｅ  Ｄｉｓｃ）装置等の複数のＡＶ（Ａｕｄｉｏ  Ｖｉｓｕａｌ）機器が組み込まれた複合電子装置に係り、特に複合電子装置の出力モードと異なるコードのリモコン信号を受信したときに、リモコン信号のコードが複合電子装置の出力モードと異なることをユーザに報知する機能を有する複合電子装置に関する。
【背景技術】
【０００２】
周知のように、複合電子装置に組み込まれたＶＣＲ装置、ＤＶＤ装置等は、それぞれ異なるコードのリモコン信号により動作するようになっていて、リモコン装置から送信されたリモコン信号が複合電子装置の出力モードと異なるコードのリモコン信号である場合、複合電子装置の所望のＡＶ機器により再生された映像音声を視聴することができないという問題点があった。つまり、複合電子装置の出力モードがＶＣＲ装置からの映像音声信号を出力するＶＣＲモードのときに、リモコン装置からＤＶＤコードのリモコン信号が送信されてもＶＣＲ装置からの映像音声信号が出力されず、複合電子装置の出力モードがＤＶＤ装置からの映像音声信号を出力するＤＶＤモードのときに、リモコン装置からＶＣＲコードのリモコン信号が送信されてもＤＶＤ装置からの映像音声信号が出力されず、ユーザはリモコン装置の操作キーを操作したにも拘らず複合電子装置が動作しないという問題点があった。
【０００３】
背景技術としては、リモコン装置のＡＴＲ（テープカセットレコーダ）録音ポーズキーを押すと、複数のＡＶ機器の各操作状態を解析して、ＡＴＲを記録ポーズ状態に制御するかを判別し、判別結果に基づいて記録ポーズ状態に制御した後に、リモコン装置の再生キー、或いはモード選択キーと再生キーによる操作指示信号をそれぞれ受けると、被制御機器選択スイッチを制御し、機器選択モード表示回路を制御して、選択されたＡＶ機器の再生を開始し、ＡＴＲでその再生信号の記録を開始するようにしたものがあった（例えば、特許文献１参照）。
【０００４】
また、リモコン装置から送信された選択接続操作の指令を受信すると、音声信号又は音声信号と映像信号を出力する出力機器群と音声信号又は音声信号と映像信号を入力する入力機器群とを中継し出力機器群のいずれかの出力を入力機器群のいずれかに入力する選択接続操作を行い、選択接続操作された出力機器に再生指令を出して、該出力機器が指示通りに再生信号を出力しているかを確認するようにしたものがあった（例えば、特許文献２参照）。
【０００５】
また、ユーザがリモコン装置を操作して複合ＡＶ装置の第１のＡＶ装置に再生命令を送信すると、第１のＡＶ装置の制御部は第１のＡＶ装置の再生部が再生するよう制御を行うとともに、第２のＡＶ装置の制御部に指示信号を送信し、第２のＡＶ装置の制御部は指示信号を受信すると、映像入力元を第１のＡＶ装置の再生部に設定して、第１のＡＶ装置の再生部で再生された映像を出力するようにしたものがあった（例えば、特許文献３参照）。
【０００６】
また、リモコン信号の送信コードを切り換えて、複数の機器の動作を指令する共通動作キーにより複数の機器の動作を指令するリモコン信号を送信し、送信されたリモコン信号を受信して、受信したリモコン信号のコードに対応した機器からの出力に切り換え、受信したリモコン信号により指令された機器の動作を実行し、その機器からの映像音声信号を出力するようにしたものがあった（例えば、特許文献４参照）。
【特許文献１】特開平７−２８８８７３号公報
【特許文献２】特開２００１−１３６４０７号公報
【特許文献３】実用新案登録第３０９３９７４号公報
【特許文献４】実用新案登録第３０９３７２０号公報
【発明の開示】
【発明が解決しようとする課題】
【０００７】
しかしながら、背景技術で述べたもののうち最初のものにおいては、リモコン装置のＡＴＲ録音ポーズキーを押すと、複数のＡＶ機器の各操作状態を解析して、ＡＴＲを記録ポーズ状態に制御するかを判別し、判別結果に基づいて記録ポーズ状態に制御した後に、リモコン装置の再生キー、或いはモード選択キーと再生キーによる操作指示信号をそれぞれ受けると、被制御機器選択スイッチを制御し、機器選択モード表示回路を制御して、選択されたＡＶ機器の再生を開始し、ＡＴＲでその再生信号の記録を開始することができたが、リモコン装置から送信されたリモコン信号のコードが複合電子装置の出力モードと異なる場合、ユーザはリモコン装置の操作キーを操作したにも拘らず複合電子装置が動作しないという問題点を解決するものではなかった。
【０００８】
また、更にその次のものにおいては、リモコン装置から送信された選択接続操作の指令を受信すると、音声信号又は音声信号と映像信号を出力する出力機器群と音声信号又は音声信号と映像信号を入力する入力機器群とを中継し出力機器群のいずれかの出力を入力機器群のいずれかに入力する選択接続操作を行い、選択接続操作された出力機器に再生指令を出して、該出力機器が指示通りに再生信号を出力しているかを確認することができたが、上記同様、リモコン装置から送信されたリモコン信号のコードが複合電子装置の出力モードと異なる場合、ユーザはリモコン装置の操作キーを操作したにも拘らず複合電子装置が動作しないという問題点を解決するものではなかった。
【０００９】
また、更にその次のものにおいては、ユーザがリモコン装置を操作して複合ＡＶ装置の第１のＡＶ装置に再生命令を送信すると、第１のＡＶ装置の制御部は第１のＡＶ装置の再生部が再生するよう制御を行うとともに、第２のＡＶ装置の制御部に指示信号を送信し、第２のＡＶ装置の制御部は指示信号を受信すると、映像入力元を第１のＡＶ装置の再生部に設定して、第１のＡＶ装置の再生部で再生された映像を出力することができたが、ユーザがリモコン装置の操作キーを操作して、機器の動作を指令するリモコン信号を送信した場合、そのコードに対応した機器が動作するようになっていたため、ユーザが所望しない機器が動作するという問題点があった。
【００１０】
また、更にその次のものにおいては、リモコン信号の送信コードを切り換えて、複数の機器の動作を指令する共通動作キーにより複数の機器の動作を指令するリモコン信号を送信し、送信されたリモコン信号を受信して、受信したリモコン信号のコードに対応した機器からの出力に切り換え、受信したリモコン信号により指令された機器の動作を実行し、その機器からの映像音声信号を出力することができたが、上記同様、ユーザがリモコン装置の操作キーを操作して、機器の動作を指令するリモコン信号を送信した場合、そのコードに対応した機器が動作するようになっていたため、ユーザが所望しない機器が動作するという問題点があった。
【００１１】
本発明は、背景技術の有するこのような問題点に鑑みてなされたものであり、その目的とするところは、複合電子装置の出力モードと異なるコードのリモコン信号を受信したとき、リモコン信号のコードが複合電子機器の出力モードと異なることをユーザに報知することができる複合電子装置を提供しようとするものである。
【課題を解決するための手段】
【００１２】
上記目的を達成するため本発明においては、それぞれ異なるコードのリモコン信号により動作する複数のＡＶ機器が組み込まれた複合電子装置であって、出力モードを切り換えて複数のＡＶ機器の１つからの映像音声信号を出力する複合電子装置において、リモコン装置から送信されたリモコン信号を受信する受信手段と、前記受信手段により受信されたリモコン信号が複合電子装置の出力モードに対応したコードのリモコン信号であるか否かを判別する判別手段と、前記判別手段が前記受信手段により受信されたリモコン信号が複合電子装置の出力モードと異なるコードのリモコン信号であると判別したとき、リモコン信号のコードが複合電子装置の出力モードと異なることを表示する表示手段とを備える。
【００１３】
前記表示手段は、前記受信手段により受信されたリモコン信号のコードに対応した複合電子装置の出力モードを表示するＬＥＤを点滅させて、リモコン信号のコードが複合電子装置の出力モードと異なることを表示するようにするとよい。
【００１４】
また、前記表示手段は、映像にスーパーインポーズして、リモコン信号のコードが複合電子装置の出力モードと異なることを画面に表示するようにするとよい。
【００１５】
また、前記表示手段は、ブルーバック画面に切り換えて、リモコン信号のコードが複合電子装置の出力モードと異なることを画面に表示するようにするとよい。
【００１６】
これらの手段により、複合電子装置の出力モードと異なるコードのリモコン信号を受信したとき、リモコン信号のコードが複合電子機器の出力モードと異なることをユーザに報知することができる。
【発明の効果】
【００１７】
請求項１記載の発明に係る複合電子装置によれば、受信したリモコン信号が複合電子装置の出力モードに対応したコードのリモコン信号であるか否かを判別して、受信したリモコン信号が複合電子装置の出力モードと異なるコードのリモコン信号であるとき、受信したリモコン信号のコードに対応した複合電子装置の出力モードを表示するＬＥＤを点滅させて、リモコン信号のコードが複合電子装置の出力モードと異なることを表示するとともに、映像にスーパーインポーズして、またはブルーバック画面に切り換えて、リモコン信号のコードが複合電子装置の出力モードと異なることを画面に表示するようにしているので、複合電子装置の出力モードと異なるコードのリモコン信号を受信したとき、リモコン信号のコードが複合電子機器の出力モードと異なることをユーザに報知することができる。
【００１８】
請求項２記載の発明に係る複合電子装置によれば、受信したリモコン信号が複合電子装置の出力モードに対応したコードのリモコン信号であるか否かを判別して、受信したリモコン信号が複合電子装置の出力モードと異なるコードのリモコン信号であるとき、リモコン信号のコードが複合電子装置の出力モードと異なることを表示するようにしているので、複合電子装置の出力モードと異なるコードのリモコン信号を受信したとき、リモコン信号のコードが複合電子機器の出力モードと異なることをユーザに報知することができる。
【００１９】
請求項３記載の発明に係る複合電子装置によれば、受信したリモコン信号が複合電子装置の出力モードと異なるコードのリモコン信号であるとき、受信したリモコン信号のコードに対応した複合電子装置の出力モードを表示するＬＥＤを点滅させて、リモコン信号のコードが複合電子装置の出力モードと異なることを表示するようにしているので、ユーザはリモコン装置から送信されたリモコン信号のコードが複合電子装置の出力モードと異なることが容易にわかる。
【００２０】
請求項４記載の発明に係る複合電子装置によれば、受信したリモコン信号が複合電子装置の出力モードと異なるコードのリモコン信号であるとき、映像にスーパーインポーズして、リモコン信号のコードが複合電子装置の出力モードと異なることを画面に表示するようにしているので、複合電子装置の出力モードと異なるコードのリモコン信号を受信したとき、視聴中の映像画面にリモコン信号のコードが複合電子機器の出力モードと異なること表示して、ユーザにその旨を報知することができる。
【００２１】
請求項５記載の発明に係る複合電子装置によれば、受信したリモコン信号が複合電子装置の出力モードと異なるコードのリモコン信号であるとき、ブルーバック画面に切り換えて、リモコン信号のコードが複合電子装置の出力モードと異なることを画面に表示するようにしているので、複合電子装置の出力モードと異なるコードのリモコン信号を受信したとき、視聴中の映像画面をブルーバック画面に切り換えて、リモコン信号のコードが複合電子機器の出力モードと異なることを表示し、ユーザにその旨を報知することができる。
【発明を実施するための最良の形態】
【００２２】
以下、適宜図面を参照しながら本発明を実施するための最良の形態を詳述する。図１は本発明の一実施例の複合電子装置の構成を示すブロック図であり、図２は本発明の一実施例の複合電子装置のリモコン装置を示す説明図であり、図３は本発明の一実施例の複合電子装置の表示例を示す説明図であり、図４は本発明の一実施例の複合電子装置のＶＣＲ装置の動作を示すフローチャートであり、図５は本発明の一実施例の複合電子装置のＤＶＤ装置の動作を示すフローチャートである。
【００２３】
まず、図１の本発明の一実施例の複合電子装置の構成を示すブロック図を基に説明する。
【００２４】
複合電子装置１は、磁気テープに映像音声信号を記録再生するＶＣＲ装置１０とＤＶＤ等の光ディスクに記録された映像音声信号を再生するＤＶＤ装置２０とが組み込まれていて、ＶＣＲ装置１０とＤＶＤ装置２０とはそれぞれ異なるコードのリモコン信号により動作するようになっている。また、複合電子装置１は、複合電子装置１の出力モードをＶＣＲ装置１０からの映像音声信号を出力するＶＣＲモードに切り換えるＶＣＲキー３１ａ、ＤＶＤ装置２０からの映像音声信号を出力するＤＶＤモードに切り換えるＤＶＤキー３１ｂ等の各種操作キー（図示せず）が設けられたキー操作部３１と、リモコン装置３３から送信された赤外線信号のリモコン信号を受信して、所定の電気信号に変換するリモコン受信部３２と、複合電子装置１の出力モードを表示するＶＣＲモード表示ＬＥＤ３４ａ、ＤＶＤモード表示ＬＥＤ３４ｂ等の各種情報を表示する表示部３４とを備えている。
【００２５】
複合電子装置１のＶＣＲ装置１０は、アンテナ１６により受信された電波から選択されたチャンネルのテレビ放送を受信するチューナ１１と、チューナ１１により受信されたテレビ放送の映像音声信号を磁気テープに記録するとともに、磁気テープに記録された映像音声信号を再生する磁気テープ記録再生部１２と、ＶＣＲ装置１０のシステム全体を制御するマイコン１３と、文字情報信号を映像信号に重畳して文字情報をモニタ装置４０の画面に表示するＯＳＤ（Ｏｎ−Ｓｃｒｅｅｎ  Ｃｈａｒａｃｔｅｒ  Ｄｉｓｐｌａｙ）回路１４と、複合電子装置１の出力モードをＶＣＲ装置１０からの映像音声信号を出力するＶＣＲモードとＤＶＤ装置２０からの映像音声信号を出力するＤＶＤモードとを切り換える出力切換スイッチ１５とで構成されている。
【００２６】
また、複合電子装置１のＤＶＤ装置２０は、ＤＶＤ等の光ディスクに記録された映像音声信号を再生するディスク再生部２１と、ＤＶＤ装置２０のシステム全体を制御するマイコン２２と、文字情報信号を映像信号に重畳して文字情報をモニタ装置４０の画面に表示するＯＳＤ回路２３とで構成されている。
【００２７】
また、リモコン装置３３には、図２に示すように、リモコン装置３３から送信されるリモコン信号のコードを切り換えるとともに、複合電子装置１の出力モードの切り換えを指令するＶＣＲキー３３ａ、ＤＶＤキー３３ｂ、ＶＣＲ装置１０とＤＶＤ装置２０との動作を指令する複数の共通キー３３ｃ等の各種操作キーが設けられていて、それらの操作キーを操作することにより、複合電子装置１を所望動作させることができるようになっている。
【００２８】
以上のように構成された複合電子装置について、以下その動作について説明する。
【００２９】
リモコン装置３３から送信された赤外線信号のリモコン信号をリモコン受信部３２が受信すると、リモコン受信部３２は、受信した赤外線信号のリモコン信号を所定の電気信号に変換してＶＣＲ装置１０のマイコン１３とＤＶＤ装置２０のマイコン２２とに送出する。
【００３０】
ＶＣＲ装置１０のマイコン１３は、リモコン装置３３のＶＣＲキー３３ａのリモコン信号を受信すると、或いはキー操作部３１のＶＣＲキー３１ａが操作されると、出力切換スイッチ１５を制御して複合電子装置１の出力モードをＶＣＲモードに切り換え、表示部３４のＶＣＲモード表示ＬＥＤ３４ａを点灯して、複合電子装置１の出力モードをＶＣＲモードに切り換えた旨をＤＶＤ装置２０のマイコン２２に通知する。また、ＶＣＲ装置１０のマイコン１３は、リモコン装置３３のＤＶＤキー３３ｂのリモコン信号を受信すると、或いはキー操作部３１のＤＶＤキー３１ｂが操作されると、出力切換スイッチ１５を制御して複合電子装置１の出力モードをＤＶＤモードに切り換え、表示部３４のＤＶＤモード表示ＬＥＤ３４ｂを点灯して、複合電子装置１の出力モードをＤＶＤモードに切り換えた旨をＤＶＤ装置２０のマイコン２２に通知する。
【００３１】
複合電子装置１の出力モードがＶＣＲモードである場合に、リモコン装置３３の共通キー３３ｃのキー操作によるＶＣＲコードのリモコン信号を受信すると、ＶＣＲ装置１０のマイコン１３は、受信したリモコン信号により指令されたＶＣＲ装置１０の動作を実行する。複合電子装置１の出力モードがＶＣＲモードである場合に、リモコン装置３３の共通キー３３ｃのキー操作によるＤＶＤコードのリモコン信号を受信すると、ＶＣＲ装置１０のマイコン１３は、表示部３４のＤＶＤモード表示ＬＥＤ３４ｂを点滅させて、受信したリモコン信号のコードが複合電子装置１の出力モードと異なることを表示し、文字情報信号と制御信号とをＯＳＤ回路１４に送出して、文字情報信号を映像信号に重畳し、映像Ａにスーパーインポーズして、受信したリモコン信号のコードが複合電子装置１の出力モードと異なることの文字情報Ｂをモニタ装置４０の画面に表示する（図３（ａ）参照）。また、文字情報信号と制御信号とをＯＳＤ回路１４に送出して、文字情報信号をＯＳＤ回路１４が出力する青背景信号に重畳し、ブルーバック画面Ｃに切り換えて、受信したリモコン信号のコードが複合電子装置１の出力モードと異なることの文字情報Ｄをモニタ装置４０の画面に表示するようにしてもよい（図３（ｂ）参照）。
【００３２】
ＤＶＤ装置２０のマイコン２２は、ＶＣＲ装置１０のマイコン１３から複合電子装置１の出力モードをＤＶＤモードに切り換えた旨の通知を受け、複合電子装置１の出力モードがＤＶＤモードである場合に、リモコン装置３３の共通キー３３ｃのキー操作によるＤＶＤコードのリモコン信号を受信すると、受信したリモコン信号により指令されたＤＶＤ装置２０の動作を実行する。複合電子装置１の出力モードがＤＶＤモードである場合に、リモコン装置３３の共通キー３３ｃのキー操作によるＶＣＲコードのリモコン信号を受信すると、ＤＶＤ装置２０のマイコン２２は、表示部３４のＶＣＲモード表示ＬＥＤ３４ａを点滅させて、受信したリモコン信号のコードが複合電子装置１の出力モードと異なることを表示し、文字情報信号と制御信号とをＯＳＤ回路２３に送出して、文字情報信号を映像信号に重畳し、映像Ａにスーパーインポーズして、受信したリモコン信号のコードが複合電子装置１の出力モードと異なることの文字情報Ｂをモニタ装置４０の画面に表示する（図３（ａ）参照）。また、文字情報信号と制御信号とをＯＳＤ回路２３に送出して、文字情報信号をＯＳＤ回路２３が出力する青背景信号に重畳し、ブルーバック画面Ｃに切り換えて、受信したリモコン信号のコードが複合電子装置１の出力モードと異なることの文字情報Ｄをモニタ装置４０の画面に表示するようにしてもよい（図３（ｂ）参照）。
【００３３】
また、図４の本発明の一実施例の複合電子装置のＶＣＲ装置の動作を示すフローチャートを基に説明する。
【００３４】
リモコン装置から送信されたリモコン信号を受信すると、ステップＳ１からステップＳ２に進み、ステップＳ２で、受信したリモコン信号がＶＣＲキーのリモコン信号であるか否かが判断され、受信したリモコン信号がＶＣＲキーのリモコン信号である場合、ステップＳ３に進み、受信したリモコン信号がＶＣＲキーのリモコン信号でない場合、ステップＳ４に進む。
【００３５】
ステップＳ３で、複合電子装置の出力モードがＶＣＲモードに切り換えられて、表示部のＶＣＲモード表示ＬＥＤを点灯して、その旨がＤＶＤ装置のマイコンに通知され、ステップＳ５に進む。
【００３６】
ステップＳ４で、受信したリモコン信号がＤＶＤキーのリモコン信号であるか否かが判断され、受信したリモコン信号がＤＶＤキーのリモコン信号である場合、ステップＳ９に進み、受信したリモコン信号がＤＶＤキーのリモコン信号でない場合、ステップＳ５に進む。
【００３７】
ステップＳ５で、複合電子装置の出力モードがＶＣＲモードであるか否かが判断され、複合電子装置の出力モードがＶＣＲモードである場合、ステップＳ６に進み、複合電子装置の出力モードがＶＣＲモードでない場合、即ち、複合電子装置の出力モードがＤＶＤモードである場合、ステップＳ１０に進んで処理を終了する。
【００３８】
ステップＳ６で、受信したリモコン信号がＶＣＲコードのリモコン信号であるか否かが判断され、受信したリモコン信号がＶＣＲコードのリモコン信号である場合、ステップＳ７に進み、受信したリモコン信号がＶＣＲコードのリモコン信号でない場合、ステップＳ８に進む。
【００３９】
ステップＳ７で、受信した共通キーのリモコン信号により指令されたＶＣＲ装置の動作が実行され、ステップＳ１０に進んで処理を終了する。
【００４０】
ステップＳ８で、表示部のＤＶＤモード表示ＬＥＤを点滅させ、受信したリモコン信号のコードが複合電子装置の出力モードと異なることが画面に表示されて、ステップＳ１０に進んで処理を終了する。
【００４１】
ステップＳ９で、複合電子装置の出力モードがＤＶＤモードに切り換えられて、表示部のＤＶＤモード表示ＬＥＤを点灯して、その旨がＤＶＤ装置のマイコンに通知され、ステップＳ１０に進んで処理を終了する。
【００４２】
また、図５の本発明の一実施例の複合電子装置のＤＶＤ装置の動作を示すフローチャートを基に説明する。
【００４３】
リモコン信号を受信すると、ステップＳ１１からステップＳ１２に進み、ステップＳ１２で、受信したリモコン信号がＶＣＲキーのリモコン信号であるか否かが判断され、受信したリモコン信号がＶＣＲキーのリモコン信号である場合、ステップＳ１８に進んで処理を終了し、受信したリモコン信号がＶＣＲキーのリモコン信号でない場合、ステップＳ１３に進む。
【００４４】
ステップＳ１３で、受信したリモコン信号がＤＶＤキーのリモコン信号であるか否かが判断され、受信したリモコン信号がＤＶＤキーのリモコン信号である場合、ステップＳ１８に進んで処理を終了し、受信したリモコン信号がＤＶＤキーのリモコン信号でない場合、ステップＳ１４に進む。
【００４５】
ステップＳ１４で、複合電子装置の出力モードがＤＶＤモードであるか否かが判断され、複合電子装置の出力モードがＤＶＤモードである場合、ステップＳ１５に進み、複合電子装置の出力モードがＤＶＤモードでない場合、即ち、複合電子装置の出力モードがＶＣＲモードである場合、ステップＳ１８に進んで処理を終了する。
【００４６】
ステップＳ１５で、受信したリモコン信号がＤＶＤコードのリモコン信号であるか否かが判断され、受信したリモコン信号がＤＶＤコードのリモコン信号である場合、ステップＳ１６に進み、受信したリモコン信号がＤＶＤコードのリモコン信号でない場合、ステップＳ１７に進む。
【００４７】
ステップＳ１６で、受信した共通キーのリモコン信号により指令されたＤＶＤ装置の動作が実行され、ステップＳ１８に進んで処理を終了する。
【００４８】
ステップＳ１７で、表示部のＶＣＲモード表示ＬＥＤを点滅させ、リモコン信号のコードが複合電子装置の出力モードと異なることが画面に表示されて、ステップＳ１８に進んで処理を終了する。
【００４９】
以上、本発明を実施するための最良の形態について詳述したが、本発明はこれに限らず、当業者の通常の知識の範囲内でその変形や改良が可能である。例えば、例えば、ＶＣＲ装置とＤＶＤ装置とが組み込まれた複合電子装置について説明したが、ＣＤ（Ｃｏｍｐａｃｔ  Ｄｉｓｋ）装置等の他の複数の電子装置が組み込まれた複合電子装置にも適用することができる。
【図面の簡単な説明】
【００５０】
【図１】本発明の一実施例の複合電子装置の構成を示すブロック図である。
【図２】本発明の一実施例の複合電子装置のリモコン装置を示す説明図である。
【図３】本発明の一実施例の複合電子装置の表示例を示す説明図である。
【図４】本発明の一実施例の複合電子装置のＶＣＲ装置の動作を示すフローチャートである。
【図５】本発明の一実施例の複合電子装置のＤＶＤ装置の動作を示すフローチャートである。
【符号の説明】
【００５１】
１  複合電子装置
１０  ＶＣＲ装置
１１  チューナ
１２  磁気テープ記録再生部
１３  マイコン
１４  ＯＳＤ回路
１５  出力切換スイッチ
１６  アンテナ
２０  ＤＶＤ装置
２１  ディスク再生部
２２  マイコン
２３  ＯＳＤ回路
３１  キー操作部
３１ａ  ＶＣＲキー
３１ｂ  ＤＶＤキー
３２  リモコン受信部
３３  リモコン装置
３３ａ  ＶＣＲキー
３３ｂ  ＤＶＤキー
３３ｃ  共通キー
３４  表示部
３４ａ  ＶＣＲモード表示ＬＥＤ
３４ｂ  ＤＶＤモード表示ＬＥＤ
４０  モニタ装置
４０ａ  画面
【図１】
2005117160.tif 000003
【図２】
2005117160.tif 000004
【図３】
2005117160.tif 000005
【図４】
2005117160.tif 000006
【図５】
2005117160.tif 000007